(57)【要約】【課題】データの他人使用が回避され、保密効果の達成が期待できる自給式電源供給型記憶装置を提供する。【解決手段】充電用電池モジュールを用いてダイナミックランダムアクセスメモリの蓄積データ維持に必要な電力を提供し、充電用電池モジュールを介して、主装置電源からの充電により、ダイナミックランダムアクセスメモリにおける無電力供給による蓄積内容の流失を解決する。【選択図】図１
2007133883.tif 000002
【特許請求の範囲】
【請求項１】
ダイナミックランダムアクセスメモリチッブと、充電用電池モジュールとを備え、且つ、前記ダイナミックランダムアクセスメモリチッブへ前記充電用電池モジュールから需要電力を供給することが可能であることを特徴とする自給式電源供給型記憶装置。
【請求項２】
前記ダイナミックランダムアクセスメモリチッブは、リード線ブラケット又は基板を介して、前記充電用電池モジュールと電気接続することを特徴とする請求項1に記載の自給式電源供給型記憶装置。
【請求項３】
前記充電用電池モジュールは、前記ダイナミックランダムアクセスメモリチッブとの一体成型によって封止されてなることを特徴とする請求項1に記載の自給式電源供給型記憶装置。
【請求項４】
前記ダイナミックランダムアクセスメモリチッブは、一つ或いは一つ以上であることを特徴とする請求項1に記載の自給式電源供給型記憶装置。
【請求項５】
伝導インターフェースと、コントローラーおよびダイナミックランダムアクセスメモリとを備える自給式電源供給型記憶装置において、
前記伝導インターフェースと予設された主装置とを電気接続して、
前記コントローラーと前記伝導インターフェースとを電気接続させ、且つ、前記伝導インターフェースを介して、予設された前記主装置から伝送されるデータを受信する。なお、
前記ダイナミックランダムアクセスメモリは、前記コントローラーとで電気接続をなし、且つ、一つ或いは一つ以上の前記ダイナミックランダムアクセスメモリチップおよびデータ蓄積に必要な電力を維持する前記充電用電池モジュールを設けたことを特徴とする自給式電源供給型記憶装置。
【請求項６】
前記ダイナミックランダムアクセスメモリチップは、前記リード線ブラケット又は基板を介して、前記充電用電池モジュールと電気接続することを特徴とする請求項5に記載の自給式電源供給型記憶装置。
【請求項７】
前記充電用電池モジュールは、前記ダイナミックランダムアクセスメモリチッブとの一体成型によって封止されてなることを特徴とする請求項5に記載の自給式電源供給型記憶装置。
【請求項８】
自給式電源供給型記憶装置において、外部電池を含有し、前記ダイナミックランダムアクセスメモリの充電用電池モジュールに対して充電を行うことを特徴とする請求項5に記載の自給式電源供給型記憶装置。
【請求項９】
前記外部電池は、乾電池、アルカリ電池および充電電池の少なくとも一種であることを特徴とする請求項8に記載の自給式電源供給型記憶装置。
【請求項１０】
前記コントローラーに、予設のメモリーカードを接続して、電気接続を成すメモリーカードのインターフェース接続になることを特徴とする請求項5に記載の自給式電源供給型記憶装置。
【請求項１１】
前記コントローラーを、デコーダーに接続することを特徴とする請求項5に記載の自給式電源供給型記憶装置。
【請求項１２】
前記コントローラーを、なお、表示装置（display）に接続することを特徴とする請求項5に記載の自給式電源供給型記憶装置。
【請求項１３】
前記コントローラーを、又、操作電鍵に接続することを特徴とする請求項5に記載の自給式電源供給型記憶装置。
【発明の詳細な説明】
【技術分野】
【０００１】
本発明は、自給式電源供給型記憶装置に関し、特に、充電用電池モジュールを電源供給源として利用する記憶装置（メモリーデバイス）に於いて、前記充電用電池モジュールをデータ蓄積用の電力維持として用いるために提供されるとともに、前記蓄積データの維持電力未提供による流失問題に関する。
【背景技術】
【０００２】
電子工業の進歩並びに電子技術にかかわる応用の快速発展に伴い、日常生活に於ける電子製品の応用が益々頻繁になり、作業上の便宜性および生活品質の向上等に齎される。然るに、数多な異なる電子製品の応用に於いて、その全てが種類の異なる数多なメモリー素子を使用することにより、それぞれの操作に必要な情報などが提供され、尚且つ、データおよび情報の交換、又は、一時的保存用などの空間として用いられ、殊に、コンピュータ、コンミュニケーション及び消費性電子製品などにおいて、益々頻繁に応用される。
【０００３】
一般的に常用されるメモリー素子には、ランダムアクセスメモリ（RandomAccess 
Memory,  RAM)  が挙げられ、尚、前記ランダムアクセスメモリには、スタティクランダムアクセスメモリ (Static  Random  Access  Memory,  SRAM )及びダイナミックランダムアクセスメモリ ( Dynamic  Random  Access  Memory,  DRAM ) があり、前記スタティクランダムアクセスメモリ(SRAM) は、トランジスタにてデータの記憶をするゆえ，リフレッシュ
(refresh)  が不要である。従って、スタティクスタティクランダムアクセスメモリ (SRAM) によるアクセスはスピード的に速いけども、コストも高騰する。然れども、ダイナミックランダムアクセスメモリ (DRAM) は、コンデンサーを用いて蓄積を行うゆえ、該コンデンサーの自己放電により、既蓄積データ保存のため、一定の時間間隔で、該ダイナミックランダムアクセスメモリ (DRAM ) に於けるコンデンサー容量に対するリフレッシュが必要となる。
【０００４】
又、「ダイナミック (Dynamic)」とは、動的、活気にあふれた様を言い、記憶体(メモリー) に於いて存在するデータが「終了」又は「事故」により無電力供給になって流失するゆえ、記憶内容がコンピュータの終了オプションとともに消失する。原因は、コンデンサーに蓄積された電荷が時間に伴って消失するゆえ、絶えずに電源補充を成すことにより、ポテンシャルエネルギー
(potential  energy)
をそれぞれのメモリーユニットが表現しうる状態にする。従って、ダイナミックランダムアクセスメモリ (DRAM )
は、データの蓄積に多用されるも、長期的にデータの蓄積をすることはできない。
【０００５】
なお、常用されるメモリー素子としてフラッシュメモリー(flash  memory) が挙げられる。フラッシュメモリーは、低エネルギー消耗の非揮発性、耐震性および高蓄積密度などの誘惑特性により、数多な携帯可能性を有する電子製品において、徐徐にEEPROM( 電気的消去・再書込み可能な読出し専用メモリー )  と取り替えて使用される。従って、従来のハードディスク装置などの伝統式蓄積メディアは、フラッシュメモリーの広汎的な応用により逐次代替される。然れども、フラッシュメモリーの高原価と高価格が、携帯可能性を有する電子製品の価格高騰に導く。
【発明の開示】
【発明が解決しようとする課題】
【０００６】
本発明の主な目的は、充電用電池モジュールを用いてダイナミックランダムアクセスメモリ (DRAM ) の蓄積データ維持に必要な電力を提供するとともに、充電用電池モジュールを介して、主装置の電源を用いて充電を行うことにより、ダイナミックランダムアクセスメモリ (DRAM )における無電力供給による蓄積内容の流失問題を解決することである。
【０００７】
なお、本発明のまたの目的は、充電用電池モジュールを用いてダイナミックランダムアクセスメモリ (DRAM
) の蓄積データ維持に必要な電力の提供に於いて、若し、使用者が操作などの不注意により蓄積データ維持に必要電力を遺失した場合は、所定時間後において、充電用電池モジュールからの電力提供不足による蓄積データの流失となる故、蓄積データの他人による使用が回避され得る。よって、保密効果の達成が期待できる。
【０００８】
拠って、如何にダイナミックランダムアクセスメモリ (DRAM )の必要電力を連続的に提供して、メモリー内に蓄積された内容の無電力供給による流失
(消失)を図るとともに、各種携帯用電子機器の広汎応用に供されたフラッシュメモリーの代替部材としての成熟技術を備えた廉価ダイナミックランダムアクセスメモリ (DRAM )を提供することによる携帯電子機器の価格低減を実現することが業界における改善研究の方向であり、課題でもある。
【課題を解決するための手段】
【０００９】
本発明における自給式電源供給型記憶装置は、ダイナミックランダムアクセスメモリチッブと、充電用電池モジュールとを備え、且つ、前記ダイナミックランダムアクセスメモリチッブへ前記充電用電池モジュールから需要電力を供給する。
【００１０】
本発明における自給式電源供給型記憶装置の前記ダイナミックランダムアクセスメモリチッブは、リード線ブラケット又は基板を介して、前記充電用電池モジュールと電気接続される。
【００１１】
本発明における自給式電源供給型記憶装置の前記充電用電池モジュールは、前記ダイナミックランダムアクセスメモリチッブとの一体成型によって封止される。
【００１２】
本発明における自給式電源供給型記憶装置の前記ダイナミックランダムアクセスメモリチッブは、一つ或いは一つ以上である。
【００１３】
本発明における自給式電源供給型記憶装置は、伝導インターフェースと、コントローラーおよびダイナミックランダムアクセスメモリとを備え、前記伝導インターフェースと予設された主装置とを電気接続し、前記コントローラーと前記伝導インターフェースとを電気接続させ、且つ、前記伝導インターフェースを介して、予設された前記主装置から伝送されるデータを受信する。なお、前記ダイナミックランダムアクセスメモリは、前記コントローラーとで電気接続をなし、且つ、一つ或いは一つ以上の前記ダイナミックランダムアクセスメモリチップおよびデータ蓄積に必要な電力を維持する前記充電用電池モジュールを設ける。
【００１４】
本発明における自給式電源供給型記憶装置は、外部電池を含有し、前記ダイナミックランダムアクセスメモリの充電用電池モジュールに対して充電を行う。なお、  前記外部電池は、乾電池、アルカリ電池および充電電池の少なくとも一種である。
【００１５】
本発明における自給式電源供給型記憶装置は、前記コントローラーに、予設のメモリーカードを接続して、メモリーカードのインターフェース電氣接続を成し、また、デコーダー、表示装置（display）および操作電鍵に接続される。
【発明の効果】
【００１６】
本発明の前記自給式電源供給型記憶装置の実際使用における場合のメリットを下記に述べる。
(１)   本発明の自給式電源供給型記憶装置に用いる必要電力は、ダイナミックランダムアクセスメモリによって維持されるゆえ、蓄積データは電力不足による流失がない。従って、フラッシュメモリーの代替部材としての成熟技術を備えた廉価ダイナミックランダムアクセスメモリ (DRAM )を提供することによる携帯電子機器の価格低減を実現することができる。
(２)   本発明の自給式電源供給型記憶装置は、外部電池を用いて電池モジュールの充電を行う。従って、電池における電力不足の場合は、新しい電池を交換して電池モジュールの充電をする。斯様な循環給電を形成することによって、充電用電池モジュールがダイナミックランダムアクセスメモリに提供する充分な電力を常時保つことができる。
(３)   本発明は、充電用電池モジュールを利用して、ダイナミックランダムアクセスメモリの必要電力を提供する。従って、使用者の不注意により電力供給が遺失した場合は、所定時間経過後において、ダイナミックランダムアクセスメモリに蓄積されたデータが電力不足によって流失するゆえ、使用者の遺失によるデータの他人使用が回避される。拠って、秘密保持の効用達成が期待され得る。
【発明を実施するための最良の形態】
【００１７】
前記目的および効果を達成するため、添付図面を参照して、本発明において採用された目的、構造技術特徴および効果を、発明の好ましき実施例により以下の如く詳述する。
【００１８】
図1 および図2 は、本発明における好ましき実施例を示すブロック図（1）とブロック図（2）である。前記図1 および図2において、本発明の自給式電源供給型記憶装置1には、ダイナミックランダムアクセスメモリチッブ11および充電用電池モジュール12とを備え、なお、前記ダイナミックランダムアクセスメモリチッブ11と前記充電用電池モジュール12とを電気接続し、且つ、前記充電用電池モジュール12から前記ダイナミックランダムアクセスメモリチッブ11に必要電力が供給される。
【００１９】
また、前記自給式電源供給型記憶装置1には、一つ或いは一つ以上の前記ダイナミックランダムアクセスメモリチッブ11が設置され、前記ダイナミックランダムアクセスメモリチッブ11は、リード線スプロケットを介して、前記充電用電池モジュール12と電気接続されるとともに、基板を介して前記充電用電池モジュール12に接続されてある。なお、前記ダイナミックランダムアクセスメモリチッブ11は、前記充電用電池モジュール12との一体成型によって封止される。然し、この形態では、前記充電用電池モジュール12が前記ダイナミックランダムアクセスメモリチッブ11に対して、其の必要電力を供給することのみを示し、発明のクレームを限定するものではなく、この形態を利用した其の他修飾および同価値構成の変化、改善などは、本発明のクレーム範囲に包含されることをも明記する。
【００２０】
尚且つ、前記自給式電源供給型記憶装置1と、主装置
(main device) 2とが電気接続された時、使用者は、前記主装置 2 を介してデータのアクセスを行えば、前記主装置
2は、前記ダイナミックランダムアクセスメモリチッブ11のデータアクセスに電力を提供するとともに、前記充電用電池モジュール12に対する充電を行う。若し、前記自給式電源供給型記憶装置1と前記主装置 2とが電気的に接続されていない場合は、前記充電用電池モジュール12の電力を利用して、前記ダイナミックランダムアクセスメモリチッブ11に記憶された内容を維持する。而して、使用者の操作などの不注意により蓄積データ維持に必要電力を遺失した場合は、前記充電用電池モジュール12か所定時間後において、充分な電力提供ができなくなるゆえ、前記ダイナミックランダムアクセスメモリチッブ11にアクセスされたデータが流失する。従って、蓄積されたデータの他人使用が回避され、秘密保持の効用達成が可能である。
【００２１】
図3は、本発明における又の好ましき実施例のブロック図（1）である。図面が示すように、本項における自給式電源供給型記憶装置3は、携帯式記憶装置として使用され、当該記憶装置3には、伝導インターフェース31と、コントローラー ( 制御器 )
32およびダイナミックランダムアクセスメモリ33などを設ける。
【００２２】
前記伝導インターフェース31は、主装置端4 と電気接続される。なお、前記伝導インターフェース31に、通用序列ブス用( USB )伝導インターフェース又はシリアルディスク用( SATA )伝導インターフェースなどを使用する。
【００２３】
前記コントローラー ( 制御器,)32と前記伝導インターフェース31とは電気的に接続され、尚且つ、前記コントローラー 32は、前記伝導インターフェース31を介して前記主装置端4から伝送されるデータを受信する。
【００２４】
前記ダイナミックランダムアクセスメモリ33をも、前記コントローラー 32と電気的に接続し、且つ、前記ダイナミックランダムアクセスメモリ33において、一つ又は一つ以上のダイナミックランダムアクセスメモリチップ331を具えるとともに、前記ダイナミックランダムアクセスメモリ331に対して、データの蓄積に要する充分電力を供給するための充電用電池モジュール332を設ける。
【００２５】
従って、前記自給式電源供給型記憶装置3が、前記伝導インターフェース31を介して主装置端4に接続された場合、前記ダイナミックランダムアクセスメモリ33の前記充電用電池モジュール332が前記伝導インターフェース31を介して、前記主装置端4の電源により充電されて、前記充電用電池モジュール332の電量を飽和状態に維持し、尚且つ、前記主装置端４においても、同時に前記伝導インターフェース31への提供を介して、前記ダイナミックランダムアクセスメモリ33のデータアクセスに必要な電力を提供する。斯様であれば、使用者が主装置端4のアクセスメモリー3を利用することができる。
【００２６】
而して、前記自給式電源供給型記憶装置3が主装置端4に接続されていない場合は、前記充電用電池モジュール332から前記ダイナミックランダムアクセスメモリ33に必要電力を提供して、前記ダイナミックランダムアクセスメモリ３３に蓄積されたデータが、電力の未継続提供による流失を回避することができる。従って、使用者が前記自給式電源供給型記憶装置3を携帯式蓄積装置として使用しうるゆえ、当該装置の廉価により、前記フラッシュメモリーにて製造された携帯機器などの代替部材として用いられる。
【００２７】
また、使用者が自給式電源供給型記憶装置3を遺失した場合では、所定時間後において、前記充電用電池モジュール332による充分な電力の供給不可によって、前記ダイナミックランダムアクセスメモリ33に蓄積されたアクセスデータが流失して、蓄積されたデータの他人使用が回避されるゆえに、秘密保持の効用達成が期待され得る。
【００２８】
尚且つ、以上の説明において述べた前記ダイナミックランダムアクセスメモリ33は、前記ダイナミックランダムアクセスメモリチップ331および充電用電池モジュール332との一体成型によって構成される。而して、前記充電用電池モジュール332をそれぞれの複数ダイナミックランダムアクセスメモリチッブ331と電気接続して、前記ダイナミックランダムアクセスメモリチップ331に必要な電力を提供する。
【００２９】
図4は、本発明における又の好ましき実施例のブロック図（2）を示す。図面上において示すように、本発明の前記自給式電源供給型記憶装置3は更に、外部電池34を設け、前記外部電池34を前記充電用電池モジュール332と電気接続する。尚且つ、前記外部電池34から、前記自給式電源供給型記憶装置3に対して作動に必要な電力を提供させるとともに、前記充電用電池モジュール332の充電行使用電力を提供させ、また、前記外部電池34において提供する電力が不足の場合には、前記充電用電池モジュール332の提供電力をも用いて、前記ダイナミックランダムアクセスメモリ33に蓄積されたデータの維持を行う。而して、使用者の新外部電池34交換により、再び充電用電池モジュール332に対する充電が行われる。斯様な循環給電を形成することで、前記充電用電池モジュール332から前記ダイナミックランダムアクセスメモリ33の作動に充分な電力提供を行い、前記ダイナミックランダムアクセスメモリ33に蓄積されたデータの無電力供給による流失を回避する。
【００３０】
以上の説明における前記外部電池は、乾電池、アルカリ電池および充電電池の少なくとも一種であって、前記自給式電源供給型記憶装置3作動時における必要電力の提供のみに用いられるとともに、前記充電用電池モジュール332への充電電力提供であって、本発明のクレーム範囲を限定するものではない。従って、この形態を利用した其の他修飾および同価値構成の変化、改善などは、本発明のクレーム範囲に包含されることをも併せて明記する。
【００３１】
図5は、本発明における更の好ましき実施例のブロック図を示す。且つ、図5の掲示から、本発明の自給式電源供給型記憶装置3は、更にメモリーカード接続用インターフェース35を設けてことを知る。而して、前記メモリーカード接続用インターフェース35とメモリーカード5とを電気的に接続すれば、蓄積容量の向上のみではなく、使用者の異なる前記メモリーカード5交換によって、使用者使用時の便宜性向上が考えられる。
【００３２】
なお、図5に示す本発明における更の好ましき実施例のブロック図は、自給式電源供給型記憶装置3にデコーダー36、表示装置（ディスプレイ）37および操作電鍵38を設ける。従って、使用者がデータまたは音楽ファイルを前記ダイナミックランダムアクセスメモリ33内に取り込み、前記デコーダー36を介して音楽ファイルの変調／復調を行うことにより、前記自給式電源供給型記憶装置3に蓄積された音楽ファイルを再生して手軽に楽しむことができ、なお、前記音楽ファイルの再生時に、前記ディスプレイ37を介して、歌詞を読むことができる。また、前記ディスプレイ37を介して、前記ダイナミックランダムアクセスメモリ33或いは前記メモリーカード5における残留蓄積容量、前記充電用電池モジュール332の残留電気量などの情報モニタができ、且つ、操作電鍵38による使用者の再生ファイル指定、音量調整、起動、終了などの機能操作もできる。
【００３３】
而して、前記自給式電源供給型記憶装置1,3は、各種電子装置の例えば、USBフラッシュドライブ(USB FlashDrive)、USBフラッシュメモリ(JETFLASH)、MP-3再生装置、PDA、カメラ、撮影機などにも応用されるゆえ、以上の説明は、自給式電源供給型記憶装置1,  3に用いる好ましき実施例およびその同効果構成の変化を詳述するのみであって、本発明を規制するものではなく、この形態を利用した其の他修飾および同価値構成の変化、改善などは、本発明のクレーム範囲に包含されることをも併せて明記する。
【００３４】
よって、本発明の主要特徴は、充電用電池モジュールによるダイナミックランダムアクセスメモリにおける蓄積データを長期的に維持するための必要電力提供である。
従って、本発明において採用された原理および同価値構成の変化などは、同一理由で本発明のクレームとして包含されることをも併せて明記する。
【００３５】
然るに、前記説明は、本発明の好ましき実施例のみであって、本発明のクレームを規制するものではない。従って、本発明説明書および図面に於いて開示された内容を利用した簡易修飾および同価値構成の変化、改善などは、同一理由により本発明のクレーム範囲に包含されることをも併せて明記する。
【図面の簡単な説明】
【００３６】
【図１】本発明における好ましき実施例のブロック図（1）。
【図２】本発明における好ましき実施例のブロック図（2）。
【図３】本発明における又の好ましき実施例のブロック図（1）。
【図４】本発明における又の好ましき実施例のブロック図（2）。
【図５】本発明における更の好ましき実施例のブロック図。
【符号の説明】
【００３７】
1    自給式電源供給型記憶装置
11    ダイナミックランダムアクセスメモリチップ
12    充電用電池モジュール
2    主装置端
3    自給式電源供給型記憶装置
31    伝導インターフェース
32    コントローラー ( 制御器 )
33    ダイナミックランダムアクセスメモリ
331    ダイナミックランダムアクセスメモリチップ
332    充電用電池モジュール
34    外部電池
35    メモリーカード接続用インターフェース
36    デコーダー
37    表示装置（ディスプレイ）
38    操作電鍵
4    主装置端
5    メモリーカード
【図１】
2007133883.tif 000003
【図２】
2007133883.tif 000004
【図３】
2007133883.tif 000005
【図４】
2007133883.tif 000006
【図５】
2007133883.tif 000007